(57)【要約】      （修正有）【課題】フィルター濾材の強度を保持し、除塵の効果が高いフィルターユニットを提供する。【解決手段】山折状に折られたフィルター濾材２１と、前記フィルター濾材２１を固定する枠２０ａと、前記フィルター濾材２１を補強する為にフィルター濾材２１の山間に設けた補強リブ２０ｂとを備え、前記補強リブ２０ｂは、切り欠き部２２を有する構成とする。また、補強リブ２０ｂをガイドとしてスライドする除塵手段を設けた構成としたため、フィルター濾材２１に付着した塵埃の除去が容易に可能となる。【選択図】図３
2008022933.tif 000002
【特許請求の範囲】
【請求項１】
山折状に折られたフィルター濾材と、前記フィルター濾材を固定する枠と、前記フィルター濾材を補強する為にフィルター濾材の山間に設けた補強リブとを備え、前記補強リブは、切り欠き部を有する構成としたフィルターユニット。
【請求項２】
補強リブは、フィルター濾材の山折高さよりも突出した突出部を有する請求項１に記載のフィルターユニット。
【請求項３】
補強リブをフィルター濾材の折り目と略直交に一列に構成し、突出部をガイドにしてスライド可能に設けた除塵手段を有し、前記除塵手段はスライドすることにより、前記フィルター濾材の山部に振動を与えることで、フィルター濾材に付着した塵埃を除去することを特徴とする請求項２に記載のフィルターユニット。
【請求項４】
切り欠き部は、補強リブの端面まで同じ幅とした請求項３に記載のフィルターユニット。
【請求項５】
切り欠き部は、補強リブの端面に向かって広くなる構成とした請求項３に記載のフィルターユニット。
【請求項６】
請求項１〜５記載のフィルターユニットを搭載した電気掃除機。
【発明の詳細な説明】
【技術分野】
【０００１】
本発明は、電気掃除機などに用いる塵を濾過して分離するためフィルターに関するものである。
【背景技術】
【０００２】
従来、この種のフィルターユニットは補強の為にリブを設けている（例えば、特許文献１参照）。また、コードリール連動した除塵装置を搭載したものもある（例えば、特許文献２参照）。
【０００３】
図１０は、特許文献１に記載された従来のフィルターユニットを示すものである。図１０に示すように、フィルターユニットは、プリーツ状のフィルター濾材１０１と、フィルター濾材を接着する外枠１０２と、フィルター濾材１０１を補強するリブ１０３から構成されている。そして、下流側をたたくことで除塵を行っていた。また、特許文献２には、除塵手段を用いてフィルター内部に入った塵埃を落とす方法が提案されている。
【特許文献１】特開２００５−２７９５０３号公報
【特許文献２】特許第３４９００８１号公報
【発明の開示】
【発明が解決しようとする課題】
【０００４】
しかしながら、前記従来の構成では、フィルター濾材１０１を補強するリブ１０３によりプリーツ状のフィルター濾材１０１の動きが規制され、除塵する際には、その効果が不十分であるという課題を有していた。
【０００５】
本発明は、前記従来の課題を解決するもので、フィルター濾材の強度を保持し、除塵の効果が高いフィルターユニットを提供することを目的とする。
【課題を解決するための手段】
【０００６】
前記従来の課題を解決する為に、本発明のフィルターユニットは、山折状に折られたフィルター濾材と、前記フィルター濾材を固定する枠と、前記フィルター濾材を補強する為にフィルター濾材の山間に設けた補強リブとを備え、前記補強リブは、切り欠き部を有する構成としたものである。
【０００７】
これによって、補強リブによるフィルター濾材の動きの規制が少なくなり、またフィルター濾材の除塵を行う際には、補強リブによりフィルター濾材形状の復元力が大きくなることで、除塵の効果を高めることとなる。さらに、補強リブによりフィルターユニットの強度は保持されたままである。
【０００８】
また、本発明のフィルターユニットは補強リブをガイドとしてスライドする除塵手段を設けた構成としたものである。
【０００９】
これによって、除塵手段をスライドさせるガイドを別に設ける必要がなく、また駆動レール上で除塵手段を動作することができるので、フィルター濾材に付着した塵埃の除去が容易に可能となる。
【発明の効果】
【００１０】
本発明によれば、フィルターユニットの強度を保持しつつ、塵埃捕捉手段であるフィルターユニットのメンテナンスが容易にできる電気掃除機を提供できる。
【発明を実施するための最良の形態】
【００１１】
第１の発明は、山折状に折られたフィルター濾材と、前記フィルター濾材を固定する枠と、前記フィルター濾材を補強する為にフィルター濾材の山間に設けた補強リブとを備え、前記補強リブは、切り欠き部を有する構成としたフィルターユニットとすることにより、フィルター濾材の強度を保持しつつ、フィルターの除塵性能を高めることができる。
【００１２】
第２の発明は、特に第１の発明の補強リブは、フィルター濾材の山折高さよりも突出した突出部を有することにより、補強リブ同士が隣接することでフィルター濾材の強度を高めつつ、フィルターの除塵性能を高めることができる。
【００１３】
第３の発明は、特に第２の発明の補強リブをフィルター濾材の折り目と略直交に一列に構成し、突出部をガイドにしてスライド可能に設けた除塵手段を有し、前記除塵手段はスライドすることにより、前記フィルター濾材の山部に振動を与えることで、フィルター濾材に付着した塵埃を除去することを特徴とするもので、フィルターの除塵ユニット構成を複雑にすることなく、容易にフィルター濾材を除塵することができる。
【００１４】
第４の発明は、特に第３の発明のフィルターユニットの切り欠き部を、補強リブの切り欠き部の端面に向かって広くなる構成することにより、フィルターユニットの加工が容易であり、除塵性能を向上し、容易にフィルター濾材を除塵することができる。
【００１５】
第５の発明は、特に第３の発明のフィルターユニットの切り欠き部を、補強リブの端面に向かって広くなる構成することにより、フィルター濾材の変軽量を大きくすることができ、除塵性能を向上し、容易にフィルター濾材を除塵することができる。
【００１６】
第６の発明は、特に第１から第５の発明のいずれかの１つの発明のフィルターユニットを有する電気掃除機で、より確実に塵埃を除去されたフィルター体を取り付けた状態での運転を行うことが可能となるため、電気掃除機の集塵性能を高めることができる。
【００１７】
以下実施の形態について説明する。なお、本実施の形態によって本発明が限定されるものではない。
【００１８】
（実施の形態１）
図１は本発明の第１の実施の形態における電気掃除機の全体図を示すものである。
【００１９】
図１において、電動送風機１２を内蔵した掃除機本体１１の吸引口１５と電動送風機１２の吸気口１２ａの間には集塵室１４が設けられている。吸引口１５にはホース（図示せず）、延長管（図示せず）が接続され、延長管の先端に床面１３の塵埃を吸引清掃する吸口（図示せず）が接続されている。集塵室１４の下流側には粗い塵埃を分離するためのメッシュフィルター１９、更に下流には細かい塵埃を分離するプリーツ状のフィルターユニット２０が設けられている。電動送風機１２は防娠ゴム２３で支持される。吸引された吸気は矢印Ａで示すように電動送風機１２の排気口１２ｂを通過し、掃除機本体１１の排気口１１ａから排出される。集塵室１４は図２に示すように、掃除機本体１１から着脱自在であり、フィルターユニット２０も着脱自在に構成されている。底部には開閉蓋１４ａを有し、把手１４ｂ付近に設けられた開閉ボタンを押すことにより、開閉蓋１４ａが開き集塵室１４内部の塵埃を取り出すことができる。
【００２０】
図３はフィルターユニット２０を示す。図３（ａ）は上流側から見た図、図３（ｂ）は底面、図３（ｃ）は下流側から見た図、図３（ｄ）は側面図を示す。外枠２０ａに山谷を有したプリーツ上に折ったフィルター濾材２１を接着することにより構成されている。空気の流れを矢印Ｂで示す。図３（ａ）で谷部２１ａを細線で示し、図３（ｃ）では山部２１（ｂ）を細線で示す。下流側にはフィルター濾材２１を補強するリブ２０ｂが設けられている。そして、補強リブ２０ｂには、フィルター濾材の谷部に切り欠き切り欠き部２２が設けられている。
【００２１】
外枠２０ａの外枠上下端部２０ｃは山形形状を有し上流側が開口部２０ｄとなり、フィルターユニット２０に捕集された、塵埃が外部に落下しやすい構造を有している。図４にフィルターユニット２０を底部からみた図、図５に上流側からみた斜視図、図６に下流側から見た斜視図を示す。
【００２２】
次に、動作について述べる。電動送風機１２に通電し掃除機本体１１を駆動すると吸口から塵埃が吸引されメッシュフィルター１９で粗塵埃が分離され、フィルターユニット２０に細塵が蓄積され圧損が大きくなり充分な吸引力が生じなかった時は、集塵室１４を掃除機本体１１から外し、開閉蓋１４ａを開き塵埃を取り出す。このときにフィルターユニット２０、メッシュフィルター１９に付着した塵埃はブラシなどで除去し、フィルターユニット２０は谷部２１ａを下流側から左右方向に軽く弾くなどして、表面の塵埃を除去する。この際、フィルター濾材２１は補強リブ２０ｂにてプリーツ形状が規制されているが、切り欠き切り欠き部２２を設けていることで、フィルター濾材２１を左右方向へ弾いた場合の変形量が規制されることはなく、補強リブ２０ｂを設けていながらその変形量は大きくなる。また、フィルター濾材２１が左右方向に弾いた場合には、補強リブ２０ｂが元の形状に戻ろうとする復元力がフィルター濾材２１にも働き、左右方向に弾かれた場合の復元力も補強リブ２０ｂを設けない場合と比較して大きなものとなる。これにより、切り欠き切り欠き部２２を設けることで、フィルター濾材２１への左右方向への加振力ならびに、復元力が大きくなることで除塵性能が大幅に改善される。
【００２３】
（実施の形態２）
次に図７、８は本発明の第２の実施の形態における電気掃除機の集塵室１４に除塵手段を設けた場合の構成を示すものである。
【００２４】
図７に示すように、レバー体２７はプリーツ状に形成されたフィルターユニット２０の下流面側で、補強リブ２０ｂと保持部材２４にて摺動可能に保持された除塵手段であり、レバー体２７には振動発生部２５を有したものである。
【００２５】
図８のように、フィルターユニット２０に蓄積された細塵２４はレバー体２７を摺動させることで、レバー体２７の振動発生部２５によりフィルター濾材２１に振動を与えフィルター濾材２１に蓄積された細塵２４を除去するものである。補強リブ２０ｂを用いて除塵手段が駆動することで、摺動手段を用いてフィルターユニット２０の除塵を行う場合には、フィルターユニット２０近傍付近に除塵手段の為の摺動レール部を設ける必要がなく集塵室１４の構成を複雑にする必要がない。
【００２６】
また、通常状態ではフィルター濾材２１は補強リブ２０ｂにてプリーツ形状が規制されているが、フィルター濾材２１を除塵する際には切り欠き部２２の効果により、フィルター濾材２１の変形量は切り欠き部２２と比較して大きくなる、更にレバー体２７は、補強リブ２０ｂに切り欠き部２２を設けることにより、フィルター濾材２１の除塵のための変形が容易になるので、レバー体２７は動作力の軽減となる。
【００２７】
また、図９（ａ）にフィルターユニットにおける補強リブ２０ｂの拡大図、（ｂ）フィルターユニットにおける補強リブ２０ｂの上部から見た拡大図を示す。補強リブ２０ｂの除塵手段当接部にＲ付け部３０を設けたことにより、レバー体２７はスムーズに摺動操作ができ、またレバー体２７の動作が速くなることで、フィルター濾材２１への加振力が増加し、除塵性能が更に高まる。また、フィルターユニット２０は人が触れるが、例え補強リブ２０ｂに触れたとしても手を痛める恐れはない。
【産業上の利用可能性】
【００２８】
以上のように本発明のフィルターユニットによれば、使用者がフィルターユニットに蓄積された塵埃を除去する動作をし易く、使用性を向上しているので、空気を媒体とし、塵埃を捕集する可能性がある機器の用途に適用することができ、特に家庭、業務用等の電気掃除機に有用である。
【図面の簡単な説明】
【００２９】
【図１】本発明の実施の形態１におけるフィルターユニットを用いた電気掃除機の一部断面図
【図２】同、集塵室の分解断面図
【図３】（ａ）同フィルターユニットの正面図（ｂ）同、底面図（ｃ）同、背面図（ｄ）同、側面図（ｅ）同、一部断面図
【図４】同、フィルター濾材の断面図
【図５】同、フィルターユニットの上流側からみた斜視図
【図６】同、下流側から見た斜視図
【図７】本発明の実施の形態２における集塵室の要部矢視図
【図８】同、集塵室の要部矢視図
【図９】（ａ）同、フィルターユニットの背面拡大図（ｂ）同、フィルターユニットの断面拡大図
【図１０】従来のフィルターユニットの斜視図
【符号の説明】
【００３０】
２０  フィルターユニット
２０ａ  外枠（枠）
２０ｂ  補強リブ
２０ｆ  突出部
２１  フィルター濾材
２２  切り欠き部
２５  振動発生部（除塵手段）
２７  レバー体（除塵手段）
【図１】
2008022933.tif 000003
【図２】
2008022933.tif 000004
【図３】
2008022933.tif 000005
【図４】
2008022933.tif 000006
【図５】
2008022933.tif 000007
【図６】
2008022933.tif 000008
【図７】
2008022933.tif 000009
【図８】
2008022933.tif 000010
【図９】
2008022933.tif 000011
【図１０】
2008022933.tif 000012